(57)【要約】【課題】手洗いボウルにおいて、便器ボウルの洗浄態様に合わせて適切な給水態様による手洗いができる手洗い器付き水洗便器装置を提供する。【解決手段】手洗い器付き水洗便器装置１は、便器ボウル１１に対する給水および手洗いボウル１６に対する給水を制御する制御部３０と、便器ボウル１１に対する給水を制御部３０に指示する洗浄指示手段３１とを備えている。洗浄指示手段３１は、大水量供給と、小水量供給とをすくなくとも含む複数の洗浄パターンより洗浄態様を選択、決定する構成とされており、制御部３０は、洗浄指示手段３１により決定された洗浄態様に対応して、手洗いボウル１６への給水態様を異ならせて給水制御する構成とされている。【選択図】図１
2020016131.tif 000002
【特許請求の範囲】
【請求項１】
便器ボウルに対する給水および手洗いボウルに対する給水を制御する制御部と、前記便器ボウルに対する給水を該制御部に指示する洗浄指示手段とを備えた手洗い器付き水洗便器装置であって、
前記洗浄指示手段は、大水量供給と、小水量供給とをすくなくとも含む複数の洗浄パターンより洗浄態様を選択、決定する構成とされており、
前記制御部は、前記洗浄指示手段により決定された前記洗浄態様に対応して、前記手洗いボウルへの給水態様を異ならせて給水制御することを特徴とする手洗い器付き水洗便器装置。
【請求項２】
請求項１において、
前記制御部は、前記大水量供給が選択された場合に、前記小水量供給の場合より、前記手洗いボウルへの給水量を多くするように給水制御することを特徴とする手洗い器付き水洗便器装置。
【請求項３】
請求項１または２において、
便座に着座した人の重量を検知する重量検知部をさらに備えており、
前記制御部は、前記洗浄指示手段による洗浄指示があったときに、前記重量検知部が検知した重量を所定の閾値と比較判別し、判別結果をもとに前記手洗いボウルへの給水態様を決定していることを特徴とする手洗い器付き水洗便器装置。
【発明の詳細な説明】
【技術分野】
【０００１】
本発明は、便器ボウルに対する給水、および手洗いボウルに対する給水を行う手洗い器付き水洗便器装置に関する。
【背景技術】
【０００２】
この種の水洗便器装置は、便器ボウルと手洗いボウルのそれぞれに、対応した給水管を通じて給水する構成とされている（例えば、特許文献１参照）。通例では、手洗いボウルへの給水が便器ボウルへの給水とほぼ同時に連動してなされるように、制御部が給水制御を行う。
【先行技術文献】
【特許文献】
【０００３】
【特許文献１】特開２００８−３０３６２４号公報
【発明の概要】
【発明が解決しようとする課題】
【０００４】
しかしながら、便器ボウルに対する洗浄指示としては、すくなくとも大水量供給と小水量供給の区別があるものの、手洗いボウルに対する給水は、便器ボウルに対する洗浄の態様に関係なく、同一の給水態様でなされる。したがって、小便の際の手洗い給水が多すぎて水が無駄になったり、大便の際の手洗い給水の水量や時間が足りず石鹸による手洗いができなかったりなどの不便が生じる可能性がある。
【０００５】
本発明は、このような事情を考慮して提案されたもので、その目的は、手洗いボウルにおいて、便器ボウルの洗浄態様に合わせて適切な給水態様による手洗いができる手洗い器付き水洗便器装置を提供することにある。
【課題を解決するための手段】
【０００６】
上記目的を達成するために、本発明の手洗い器付き水洗便器装置は、便器ボウルに対する給水および手洗いボウルに対する給水を制御する制御部と、前記便器ボウルに対する給水を該制御部に指示する洗浄指示手段とを備えた手洗い器付き水洗便器装置であって、前記洗浄指示手段は、大水量供給と、小水量供給とをすくなくとも含む複数の洗浄パターンより洗浄態様を選択、決定する構成とされており、前記制御部は、前記洗浄指示手段により決定された前記洗浄態様に対応して、前記手洗いボウルへの給水態様を異ならせて給水制御することを特徴とする。
【発明の効果】
【０００７】
本発明の手洗い器付き水洗便器装置は上述した構成とされているため、手洗いボウルで、便器ボウルの洗浄態様に合った適切な給水態様による手洗いができる。
【図面の簡単な説明】
【０００８】
【図１】本発明の一実施形態に係る手洗い器付き水洗便器装置の基本ブロック図である。
【図２】（ａ）（ｂ）は、便器ボウルへの洗浄態様と、手洗いボウルの給水態様との関係の２例を模式的に示した図である。
【図３】同便器装置の基本動作（１）の概略フローチャートである。
【図４】同便器装置の基本動作（２）の概略フローチャートである。
【発明を実施するための形態】
【０００９】
以下に、本発明の実施の形態について、添付図面をもとに説明する。
まず、本実施形態に係る手洗い器付き水洗便器装置１（以下、水洗便器装置１と略す）の概略基本構成について説明する。
【００１０】
本水洗便器装置１は、便器ボウル１１に対する給水、および手洗いボウル１６に対する給水を制御する制御部３０と、便器ボウル１１に対する給水を制御部３０に指示する洗浄指示手段３１とを備えた便器装置である。洗浄指示手段３１は、大水量供給と、小水量供給とをすくなくとも含む複数の洗浄パターンより洗浄態様を選択、決定する構成とされている。制御部３０は、洗浄指示手段３１により決定された洗浄態様に対応して、手洗いボウル１０への給水態様を異ならせて給水制御す構成とされている。
【００１１】
ついで、本水洗便器装置１の詳細について説明する。図１は、本水洗便器装置１の構成を示す図である。なお、本実施形態のものは、便器ボウル１１の洗浄パターンとして、大水量供給と小水量供給の２種のパターンを有している。
【００１２】
水洗便器装置１は、便器ボウル１１を有した便器本体１０と、手洗いボウル１６を有した手洗い器１５とを備えてなる。便器本体１０には洗浄水制御弁２１を備えた洗浄水配管２２が接続され、手洗い器１５には手洗い制御弁２３を備えた吐水配管２４が接続され、いずれの配管にも給水管２０を通じて給水できる構成とされている。また、手洗い器１５と便器本体１０との間は排水管２５が接続されており、手洗いボウル１６に流される水が便器本体１０側へと排出される。
【００１３】
また、便器本体１０の便座１２には、重量検知センサー３７と着座センサー３６が内装されている。この重量検知センサー３７は、便座１２に着座した人の重量を検知する重量検知部を構成する。着座センサー３６は、便座１２に対する着座／離座を検知する構成とされる。なお、着座センサー３６の代わりに、重量検知センサー３７が、検出値がゼロから所定値以上の値へ変化したときを着座と判断し、検出値が所定値以上の値からゼロへ変化したときを離座と判断するようにしてもよい。
【００１４】
便器本体１０には、ＣＰＵやプログラムなどにより構成された制御部３０が内蔵されている。便器ボウル１１への洗浄水の給水／停止は、洗浄水制御弁２１の開閉によりなされ、その動作は上述したように制御部３０の制御による。また、手洗いボウル１６への給水（吐水）／停止は、手洗い制御弁２３の開閉によりなされ、これについても制御部３０の制御による。
【００１５】
また、本水洗便器装置１は、制御部３０へ指示する手段として、操作部３２を備えている。操作部３２は、便器本体１０に設けた操作スイッチ（不図示）や、壁面に取り付けたリモコン装置３２Ａ（図２参照）よりなる。操作部３２には、便器ボウル１１への大水量供給、小水量供給を指示するための洗浄操作部３３や、手洗い給水操作部３４が配設されている。
【００１６】
制御部３０に対する便器ボウル１１への洗浄水の給水制御の指示は、洗浄指示手段３１による。洗浄指示手段３１としては、便器本体１０や操作部３２の洗浄操作部３３が挙げられる。また、洗浄指示手段３１としては、着座センサー３６の離座検知によるものであってもよい。この場合の洗浄指示は、大水量供給の洗浄指示とされるが、小水量供給の洗浄指示であってもよい。
【００１７】
また、制御部３０に対する手洗いボウル１６への吐水制御の指示は、操作部３２の手洗い給水操作部３４によるが、洗浄操作部３３（大または小）を、洗浄操作部３３に対する洗浄指示の操作とは異なる操作にて代用してもよい。例えば、長押し、連続操作などでもよい。
【００１８】
さらに、本水洗便器装置１では、手洗いボウル１６に対する吐水指示が、便器ボウル１１への洗浄水の供給に連動している。この連動動作について、図２（ａ）（ｂ）および制御部３０による制御動作のフローチャート（図３のＳ１０１〜Ｓ１０５および図４のＳ２０１〜Ｓ２０５）を参照しながら説明する。
【００１９】
本実施形態のものは、便器ボウル１１に対する洗浄水供給として大水量供給が選択された場合に、小水量供給の場合より、手洗いボウル１６への給水量を多くするように給水制御する構成とされている。つまり、便器ボウル１１への供給洗浄水が大水量の場合は、手洗いボウル１６への供給吐水量を大とし（図２（ａ）参照）、便器ボウル１１への供給洗浄水が小水量の場合は、手洗いボウル１６への供給吐水量を小とする（図２（ａ）参照）ものである。
【００２０】
この連動動作は、上述したように便器ボウル１１への洗浄指示手段３１による指示にもとづいて開始される。この洗浄指示は、上述したように、洗浄操作部３３の操作（図３）または着座センサー３６による離座検知（図４）によりなされる。
【００２１】
さらに、本実施形態のものでは、制御部３０は、洗浄指示手段３１による洗浄指示があったときに、重量検知センサー３７が検知した重量を所定の閾値と比較判別し、判別結果をもとに手洗いボウル１６への給水態様を決定する構成とされている。
【００２２】
以下、洗浄操作部３３の操作による洗浄指示と、着座センサー３６による離座検知による洗浄指示を個別に説明する。
【００２３】
洗浄操作部３３による洗浄指示がなされたときには、図３に示すように、重量検知センサー３７で測定した重量が所定の閾値以下かどうかを判別する（Ｓ１０１）。この所定値は、子どもか大人かを判別するための重量値である。なお、着座中（着座センサー３６の読み取りによる）であれば、そのタイミングの重量検知センサー３７の検出値を読み取ればよく、離座後であれば、着座中に読み取った重量検知センサー３７の検出値を保存しておき、それを直近使用者の重量値として用いればよい。
【００２４】
重量が所定値を超えている場合、つまり大人である場合、便器ボウル１１に対して、指示された大または小の水量の洗浄水を給水し、手洗いボウル１６に対して、便器ボウル１１への洗浄態様（大または小）に対応した給水態様で給水する（Ｓ１０１〜Ｓ１０３）。ようするに、便器ボウル１１への洗浄水が大水量のときは、手洗いボウル１６に対しても多めの水を吐水する一方、便器ボウル１１への洗浄水が小水量のときは、手洗いボウル１６に対しても少なめの水を吐水する。例えば、便器ボウル１１への洗浄水水量の大小比が４対３であれば、手洗いボウル１６への吐水水量の大小比も４対３などにすればよい。
【００２５】
また、重量が所定値以下の場合、つまり子どもと判断された場合、便器ボウル１１に対して指示された大または小の水量の洗浄水を給水し、子ども用の給水態様で手洗いボウル１６へ給水する（Ｓ１０１、Ｓ１０４、Ｓ１０５）。子ども用の給水態様とは、例えば大人用の吐水量と同じ量の水を、単位時間吐水量を少なくして吐水することが想定される。よって、吐水時間は大人の場合にくらべ長くなる。また、便器ボウル１６の洗浄水の大小によっても吐水時間を異ならせればよい。
【００２６】
着座センサー３６の離座検知による洗浄指示がなされたときには、図４に示すように、重量検知センサー３７で測定した重量が所定の閾値以下かどうかを判別する（Ｓ２０１）。この所定値は、子どもか大人かを判別するための重量値である。なお、この場合の重量値としては、保存しておいた重量検知センサー３７の直近の検出値を用いればよい。
【００２７】
重量が所定値を超えている場合、つまり大人である場合、便器ボウル１１に対して、指示された大または小の水量の洗浄水を給水し、手洗いボウル１６に対して、便器ボウル１１への洗浄態様に対応した給水態様で給水する（Ｓ２０１〜Ｓ２０３）。ようするに、この場合の便器ボウル１１への洗浄水は大水量であるから、手洗いボウル１６に対しても多めの水を吐水すればよい。なお、多めの水を吐水する代わりに、便器ボウル１１に対して小水量の洗浄水が指示されたときよりも、単位時間吐水量を少なくしながら長く吐水するようにしてもよい。また、便器ボウル１１に対して小水量の洗浄水が指示されたときよりも、吐水の開始時間を遅らせて、遅くまで吐水するようにしてもよい。
【００２８】
また、重量が所定値以下の場合、つまり子どもの場合、便器ボウル１１に対して指示された大または小の水量の洗浄水を給水し、子ども用の給水態様で手洗いボウル１６へ給水する（Ｓ２０１、Ｓ２０４、Ｓ２０５）。子ども用の給水態様とは、図３の場合と同様、例えば大人用の吐水量と同じ量の水を、単位時間吐水量を少なくして吐水することが想定される。
【００２９】
以上のように、便器ボウル１１への洗浄態様に対応させて、手洗いボウル１６への給水態様を異ならせているため、大の場合には多くの水量の水で手洗いでき、小の場合には少な目の水量の水で済む。ようするに、便器ボウル１１の洗浄態様に合わせて適切な給水態様による手洗いができる。大のときに大水量とすれば石鹸で手洗いでき、小のとき小水量とすれば節水にも寄与できる。
【００３０】
なお、給水態様は単位時間当たりの吐水量を同じにして、吐水時間を異ならせることが望ましいが、それには限られず、単位時間当たりの吐水量を異ならせるようにしてもよい。
【００３１】
また、子どもか大人かを判別して、それにおうじた給水態様としているため、子どもの場合に長い時間の手洗い、あるいは量の多い手洗いが可能となり、子どもが丁寧に手洗いをすることができる。なお、子どもと判断した場合、便器ボウル１１の洗浄態様には関係なく、手洗いボウル１６への給水態様が決定されるようにしてもよい。
【００３２】
以上の実施形態のものは、便器ボウル１１の洗浄パターンとして大水量供給と小水量供給の２種を有しているが、その他のパターン（例えばシャワー水供給パターン）などを有したものであってもよい。その場合、手洗いボウル１６への吐水も、そのパターンに合った給水態様であればよい。また、以上の実施形態のものは、重量検知センサー３７で測定した重量に応じて給水態様を決定しているが、重量検知センサー３７で測定した重量を用いずに、洗浄指示手段３１により決定された洗浄態様のみに対応して、手洗いボウル１６への給水態様を決定してもよい。
【符号の説明】
【００３３】
１          手洗い器付き水洗便器装置（水洗便器装置）
１１        便器ボウル
１２        便座
１５        手洗い器
１６        手洗いボウル
３０        制御部
３１        洗浄指示手段
３７        重量検知センサー（重量検知部）
【図１】
2020016131.tif 000003
【図２】
2020016131.tif 000004
【図３】
2020016131.tif 000005
【図４】
2020016131.tif 000006